(57)【要約】【課題】紙箱の差し込み舌片、切り込み等の製造の際に出来る紙粉などが、前記左右の開閉板の間の縦長の隙間から入り込まないようにした組立て紙箱の開閉板の係止構造を提供する。【解決手段】組立て紙箱の相対向する側面を開口面とし、開口面の左右の縁に折り目を介して略同形同大の左右の開閉板を設け、開口面の上下の縁に折り目を介して上下の開閉板を設け、上の開閉板の先端縁に差し込み舌片を設け、下の開閉板に切り込みを設け、左右の開閉板を折り込んで閉じた際、左右の開閉板の相対向する先端縁に出来た隙間の上から上下の開閉板を折り込み、上の開閉板の差し込み舌片を下の開閉板の切り込みに差し入れて開口面を閉じる組立て紙箱において、上の開閉板１０の差し込み舌片１０ａを下の開閉板３の切り込み３ａに差し入れる位置を、左右の開閉板を閉じた際に出来る隙間の位置からずらした。【選択図】図１
0003161941.tif 000002
【実用新案登録請求の範囲】
【請求項１】
組立て紙箱の相対向する側面を開口面とし、当該開口面の左右の縁に折り目を介して略同形同大の左右の開閉板を設け、当該開口面の上下の縁に折り目を介して上下の開閉板を設け、当該上の開閉板の先端縁に差し込み舌片を設け、下の開閉板に切り込みを設け、前記左右の開閉板を折り込んで閉じた際、当該左右の開閉板の相対向する先端縁に出来た隙間の上から前記上下の開閉板を折り込み、前記上の開閉板の差し込み舌片を下の開閉板の切り込みに差し入れて前記開口面を閉じる組立て紙箱において、
前記上の開閉板の差し込み舌片を下の開閉板の切り込みに差し入れる位置を、前記左右の開閉板を閉じた際に出来る隙間の位置から何れかの方向にずらしたことを特徴とする、組立て紙箱の開閉板の係止構造。
【請求項２】
前記上の開閉板の先端縁を左右の一方に偏った突出端を有する下向き山型に形成し、当該突出端に差し込み舌片を設け、当該上の開閉板を折り目により折り込んだ際、前記差し込み舌片を差し入れられる位置に前記下の開閉板の切り込みを設けたことを特徴とする、前記請求項１に記載の組立て紙箱の開閉板の係止構造。
【考案の詳細な説明】
【技術分野】
【０００１】
この考案は、洋菓子店等において、ケーキを入れて持ち帰る際に使用する組立て紙箱の開閉板の係止構造に関するものである。
【背景技術】
【０００２】
従来、洋菓子店において、ケーキなどの生菓子を販売する際、持ち運びに便利な紙箱を使用している。この様な紙箱の中に、デコレーションケーキを入れる、いわゆるデコケース（以下、単に『デコケース』と言う）がある。このデコケースには、上面に把手の付いたキャリータイプのものがある。
【０００３】
この上面に把手の付いたキャリータイプのものは、特許文献１に示す様に、側面の相対向する開口面から商品であるケーキの出し入れを行っている。そして、これらの各開口面は、当該開口面の左右の縁に設けた同形同大の左右の開閉板を閉じ、この上から前記開口面の上下の縁に設けた上下の開閉板を折り込み、上の開閉板の先端の差し込み舌片を下の開閉板に設けた切り込みに係止して当該紙箱を閉じている。
【特許文献１】実用新案登録第３０５８６８１号公報
【考案の開示】
【考案が解決しようとする課題】
【０００４】
しかしながら、前記キャリータイプの紙箱Ｂでは、左右の開閉板２１，２２を閉じた際、図４に示す様に、これら左右の開閉板２１、２２の相対向する先端縁の間に縦長の隙間Ｃが出来ており、さらに、図５に示す様に、これらの上から上下の開閉板２３、２４を閉じた際、前記隙間Ｃの丁度真上に差し込み舌片２３ａ、切り込み２４ａが位置し、当該差し込み舌片２３ａ、切り込み２４ａの製造の際に出来る紙粉などが、前記隙間Ｃから紙箱Ｂ内に入り込むことがあり、場合によっては、紙箱Ｂ内のケーキに付着することが有る。紙粉等の異物がケーキに付着するなどあってはならないことである。
【０００５】
この考案は、この様な状況に鑑みて行われたもので、紙箱の差し込み舌片、切り込み等の製造の際に出来る紙粉などが、前記左右の開閉板の間の縦長の隙間から入り込まないようにした組立て紙箱の開閉板の係止構造を提供して前記課題を解決するものである。
【課題を解決するための手段】
【０００６】
請求項１の考案は、組立て紙箱の相対向する側面を開口面とし、当該開口面の左右の縁に折り目を介して略同形同大の左右の開閉板を設け、当該開口面の上下の縁に折り目を介して上下の開閉板を設け、当該上の開閉板の先端縁に差し込み舌片を設け、下の開閉板に切り込みを設け、前記左右の開閉板を折り込んで閉じた際、当該左右の開閉板の相対向する先端縁に出来た隙間の上から前記上下の開閉板を折り込み、前記上の開閉板の差し込み舌片を下の開閉板の切り込みに差し入れて前記開口面を閉じる組立て紙箱において、前記上の開閉板の差し込み舌片を下の開閉板の切り込みに差し入れる位置を、前記左右の開閉板を閉じた際に出来る隙間の位置から何れかの方向にずらした組立て紙箱の開閉板の係止構造とした。
【０００７】
請求項２の考案は、前記上の開閉板の先端縁を左右の一方に偏った突出端を有する下向き山型に形成し、当該突出端に差し込み舌片を設け、当該上の開閉板を折り目により折り込んだ際、前記差し込み舌片を差し入れられる位置に前記下の開閉板の切り込みを設けた前記請求項１に記載の組立て紙箱の開閉板の係止構造とした。
【考案の効果】
【０００８】
請求項１及び２の各考案によれば、上の開閉板の差し込み舌片を下の開閉板の切り込みに差し入れる位置を、左右の開閉板を閉じた際に出来る隙間の位置からずらしているので、例え、差し込み舌片、切り込みに製造時の紙粉等が付着していたとしても、前記隙間からこの紙箱の内側に入り込むと言うことが無く、まして、この紙箱の中に入れられたケーキ等に付着すると言うことが無い。それ故、安心して、商品であるケーキ等の持ち運びが出来、顧客にも喜ばれるものとなり、売り上げの増加にもつながる。
【０００９】
請求項２の考案によれば、前記効果に加えて、前記上の開閉板の先端縁を左右の一方が偏った突出端を有する下向き山型に形成し、当該突出端に差し込み舌片を設け、当該上の開閉板を折り込んだ際、前記下の開閉板の、差し込み舌片を差し入れる位置に、切り込みを設けたので、この箱を開閉する際、使用者にとっても差し込みの位置が分かり易く、差し込み舌片が突出端に設けられているので、下の開閉板の切り込みに入れ易い。従って、より使い勝手の良い組立て紙箱を提供することが出来る。
【考案を実施するための最良の形態】
【００１０】
組立て紙箱の相対向する側面を開口面とし、当該開口面の左右の縁に折り目を介して略同形同大の左右の開閉板を設け、当該開口面の上下の縁に折り目を介して上下の開閉板を設け、当該上の開閉板の先端縁に差し込み舌片を設け、下の開閉板に切り込みを設け、前記左右の開閉板を折り込んで閉じた際、当該左右の開閉板の相対向する先端縁に出来た隙間の上から前記上下の開閉板を折り込み、前記上の開閉板の差し込み舌片を下の開閉板の切り込みに差し入れて前記開口面を閉じる組立て紙箱において、前記上の開閉板の差し込み舌片を下の開閉板の切り込みに差し入れる位置を、前記左右の開閉板を閉じた際に出来る隙間の位置から何れかの方向にずらした。
【００１１】
これにより、差し込み舌片、切り込みに製造時の紙粉等が付着していたとしても、前記隙間からこの紙箱の内側に入り込むと言うことが無く、まして、この紙箱の中に入れられたケーキ等に付着すると言うことが無い。
【実施例】
【００１２】
以下、この考案の実施例の組立て紙箱Ａの開閉板の係止構造を図に基づいて説明する。図１は、この考案の実施例の開閉板の係止構造を設けた組立て紙箱Ａの斜視図である。図２は、この考案の実施例の開閉板の係止構造を設けた組立て紙箱Ａの展開図である。図３は、この考案の実施例の開閉板の係止構造を設けた組立て紙箱Ａの開閉板を閉じる様子を示す斜視図である。
【００１３】
図２に示す様に、この実施例の開閉板の係止構造を設けた組立て紙箱Ａは、正方形状の底板１の下端縁に折り目アを介して細幅の貼着片２を設け、この底板１の左右の各側縁に折り目イ、ウを介して開閉板３、４を夫々設け、これらの各開閉板３、４上に、後述する開閉板１０、１１の差し込み舌片１０ａ、１１ａを差し入れる極細幅の長孔３ａ、４ａを夫々設けている。また、この底板１の上端縁に折り目エを介して側板５を設け、この側板５の左右の側縁に折り目オ、カを介して開閉板６、７を夫々設けている。
【００１４】
前記側板５の上端縁に折り目キを介して、前記底板１と同形同大の天板８を設け、この天板８の中央には略半環状で一定幅の切り込み９ａを入れて設けた把手部９を設けている。この天板８の左右の側縁には折り目ク、ケを介して開閉板１０、１１を夫々設けている。これらの開閉板１０、１１は先端縁が左右の一方に偏った山型形状を成し、左右の一方に偏った位置に突出端を有した変形した五角形状として設けており、さらに、その突出端に折り目コ、サを介して差し込み舌片１０ａ、１１ａを夫々設けている。
【００１５】
また、前記天板８の上端縁に折り目シを介して前記側板５と同形同大の側板１２を設け、この側板１２の左右の側縁に折り目ス、セを介して開閉板１３、１４を夫々設けている。これらの開閉板１３、１４は、前記開閉板６、７と同形同大である。
【００１６】
次に、この実施例の開閉板の係止構造を設けた紙箱Ａを組み立てる。まず、この展開された状態の紙箱の底板１、各側板５、１２、天板８を折り目ア、エ、キ、シにより夫々折り込み、さらに、前記貼着片２に接着剤を塗り（図示書略）、相対向する前記側板１２の内側に貼りつけて略角筒状に設ける。そして、前記天板８を上にした扁平な箱の状態とする。
【００１７】
その後、図３に示す様に、相対向する開口面の一方の左右の縁に設けられた開閉板１３、６を折り目ス、オにより折り込んで、この紙箱Ａの開口面を左右から略閉じる。この時、開閉板１３、６の相対向する先端縁の間に縦長の隙間Ｃが出来ている。その後、前記開口面の上下の縁に設けられた開閉板１０、３を折り目ク、イによって内側に夫々折り込んで、開閉板１０を開閉板３の上にして重ね、開閉板１０の差し込み舌片１０ａを下に位置する開閉板３の長孔３ａに差し入れてこの開口面を閉じる。残った他方の開口面も同じようにして閉じる。
【００１８】
この時、前記左右の開閉板１３、６の相対向する先端縁によって形成される縦長の隙間Ｃの位置と、前記開閉板１０の差し込み舌片１０ａと開閉板３の長孔３ａの位置が、図１及び３に示す様に、前者は中央に、後者は右側にずれているので、例え、差し込み舌片１０ａ、長孔３ａに製造時の紙粉等が付着していたとしても、前記隙間Ｃからこの紙箱Ａの内側に入り込むと言うことが無く、まして、この紙箱Ａの中に入れられたケーキ等に付着すると言うことが無い。
【００１９】
前記実施例では、係止構造を設けた紙箱Ａとして具体的に記載したが、この係止構造を設ける紙箱としては、この実施例のものに限定せず、この実施例の係止構造を設けられる紙箱ならば何でも良い。
【００２０】
また、前記左右の開閉板１３、６又は１４、７の相対向する先端縁によって形成される縦長の隙間の位置と、前記開閉板１０又は１１の差し込み舌片１３ａ又は１１ａと開閉板３又は４の長孔３ａ又は４ａの位置が右側にずれるようにしているが、ずれる位置は右側に限定するものではなく、左側でも良い。また、前記開閉板１０又は１１の差し込み舌片１０ａ又は１１ａを差し入れる個所を長孔３ａ又は４ａとしたが、これは、幅の有る長孔でなくとも幅の無い切り込みでも、前記差し込み舌片１０ａ又は１１ａを差し入れられる切り込みであれば何でも良い。
【００２１】
さらに、開閉板１０、３を五角形状に設けているが、開閉板の形状は五角形状に限定するものではなく、当該開閉板の先端縁に差し込み舌片を設けたものであれば良い。
【図面の簡単な説明】
【００２２】
【図１】この考案の実施例の開閉板の係止構造を設けた組立て紙箱の斜視図である。
【図２】この考案の実施例の開閉板の係止構造を設けた組立て紙箱の展開図である。
【図３】この考案の実施例の開閉板の係止構造を設けた組立て紙箱の開閉板を閉じる様子を示す斜視図である。
【図４】従来の、組立て紙箱の側面の一方の相対向する開口面に設けた左右の開閉板を折り込む際、当該左右の開閉板の先端間に出来る隙間を示す斜視図である。
【図５】従来の開閉板の係止構造を設けた組立て紙箱の斜視図である。
【符号の説明】
【００２３】
Ａ    組立て紙箱
１    底板                    ２    貼着片
３    開閉板                  ３ａ  長孔
４    開閉板                  ４ａ  長孔
５    側板                    ６    開閉板
７    開閉板                  ８    天板
９    把手部                １０    開閉板
１０ａ  差し込み舌片          １１    開閉板
１１ａ  差し込み舌片          １２    側板
１３    開閉板                １４    開閉板
【図１】
0003161941.tif 000003
【図２】
0003161941.tif 000004
【図３】
0003161941.tif 000005
【図４】
0003161941.tif 000006
【図５】
0003161941.tif 000007